(57)【要約】本発明の例示的な実施形態は、送信機が、受信機からの応答情報に依拠することなく、データ・ブロック（例えばRLC／MACブロック）をプリエンプティブに再伝送できるようになる装置、方法、およびコンピュータ・プログラムを提供する。例示的な限定されない一実施形態では、方法が以下を含む：少なくとも１つの基準が満たされているか否かを判断すること；受信機へデータ・ブロックを伝送すること；少なくとも１つの基準に合致しているという判断に応じて、受信機へデータ・ブロックをプリエンプティブに再伝送すること。例示的なさらなる実施形態では、データ・ブロックをプリエンプティブに再伝送することが、連続再伝送スキームまたは並列再伝送スキームのうちの１つを使用することを含む。【選択図】図４
2009542078.tif 000002
【特許請求の範囲】
【請求項１】
少なくとも１つの基準が満たされているか否かを判断することと、
受信機へデータ・ブロックを伝送することと、
前記少なくとも１つの基準に合致するという判断に応じて、前記受信機へ前記データ・ブロックをプリエンプティブに再伝送することと、
を含む、方法。
【請求項２】
前記データ・ブロックをプリエンプティブに再伝送することが、連続再伝送スキームまたは並列再伝送スキームのうちの１つを使用することを含む、請求項1に記載の方法。
【請求項３】
前記データ・ブロックをプリエンプティブに再伝送することが、連続再伝送スキームを使用することを含み、前記データ・ブロックを伝送することは、リソースを使用して第１の伝送タイミング間隔（TTI）で前記データ・ブロックを伝送することを含み、前記データ・ブロックをプリエンプティブに再伝送することは、前記リソースを使用して第２のTTIで前記データ・ブロックを再伝送することを含む、請求項1に記載の方法。
【請求項４】
前記データ・ブロックをプリエンプティブに再伝送することが、並列再伝送スキームを使用することを含み、前記データ・ブロックを伝送することは、第１リソースを使用して伝送タイミング間隔（TTI）で前記データ・ブロックを伝送することを含み、前記データ・ブロックをプリエンプティブに再伝送することは、第２リソースを使用して前記TTIで前記データ・ブロックを再伝送することを含む、請求項1に記載の方法。
【請求項５】
前記少なくとも１つの基準が、推定されるリンク品質、前記データ・ブロックの内容、および前記データ・ブロックの優先度のうちの少なくとも１つを含む、請求項1乃至4のいずれかに記載の方法。
【請求項６】
前記データ・ブロックが、無線リンク制御／媒体アクセス制御（RLC／MAC）ブロックを含む、請求項1乃至5のいずれかに記載の方法。
【請求項７】
前記プリエンプティブな再伝送が、無線リンク制御（RLC）非確認モード、RLC肯定応答モード、およびRLC非持続モードと組み合わせ可能である、請求項1乃至6のいずれかに記載の方法。
【請求項８】
前記再伝送されるデータ・ブロックが、前記伝送されるデータ・ブロックと同じブロック・シーケンス番号を有する、請求項1乃至7のいずれかに記載の方法。
【請求項９】
前記プリエンプティブな再伝送を可能にするように、第１局から第２局へシグナリングすることをさらに含む、請求項1乃至8のいずれかに記載の方法。
【請求項１０】
前記データ・ブロックの前記プリエンプティブな再伝送用に、少なくとも１つのリソースを割り当てることをさらに含む、請求項1乃至9のいずれかに記載の方法。
【請求項１１】
前記割り当てられる少なくとも１つのリソースが、追加的なタイムスロットおよび追加的なチャネルのうちの少なくとも１つを含む、請求項10に記載の方法。
【請求項１２】
前記受信機が、拡張汎用パケット無線サービス（（E）GPRS）システム内の局のコンポーネントを含む、請求項1乃至11のいずれかに記載の方法。
【請求項１３】
有形のコンピュータ可読媒体上に具現化されたプログラム命令を含むコンピュータ・プログラムであって、前記プログラム命令を実行すると、
少なくとも１つの基準が満たされているか否かを判断することと、
受信機へデータ・ブロックを伝送することと、
前記少なくとも１つの基準に合致するという判断に応じて、前記受信機へ前記データ・ブロックをプリエンプティブに再伝送することと、
を含む処理がもたらされる、コンピュータ・プログラム。
【請求項１４】
前記データ・ブロックをプリエンプティブに再伝送することが、連続再伝送スキームまたは並列再伝送スキームのうちの１つを使用することを含む、請求項13に記載のコンピュータ・プログラム。
【請求項１５】
前記データ・ブロックをプリエンプティブに再伝送することが、連続再伝送スキームを使用することを含み、前記データ・ブロックを伝送することは、リソースを使用して第１の伝送タイミング間隔（TTI）で前記データ・ブロックを伝送することを含み、前記データ・ブロックをプリエンプティブに再伝送することは、前記リソースを使用して第２のTTIで前記データ・ブロックを再伝送することを含む、請求項13に記載のコンピュータ・プログラム。
【請求項１６】
前記データ・ブロックをプリエンプティブに再伝送することが、並列再伝送スキームを使用することを含み、前記データ・ブロックを伝送することは、第１リソースを使用して伝送タイミング間隔（TTI）で前記データ・ブロックを伝送することを含み、前記データ・ブロックをプリエンプティブに再伝送することは、第２リソースを使用して前記TTIで前記データ・ブロックを再伝送することを含む、請求項13に記載のコンピュータ・プログラム。
【請求項１７】
前記少なくとも１つの基準が、推定されるリンク品質、前記データ・ブロックの内容、および前記データ・ブロックの優先度のうちの少なくとも１つを含む、請求項13、14、15または16に記載のコンピュータ・プログラム。
【請求項１８】
前記データ・ブロックが、無線リンク制御／媒体アクセス制御（RLC／MAC）ブロックを含む、請求項13乃至17のうちの1項に記載のコンピュータ・プログラム。
【請求項１９】
前記プリエンプティブな再伝送が、無線リンク制御（RLC）非確認モード、RLC肯定応答モード、およびRLC非持続モードと組み合わせ可能である、請求項13乃至18のうちの1項に記載のコンピュータ・プログラム。
【請求項２０】
前記再伝送されるデータ・ブロックが、前記伝送されるデータ・ブロックと同じブロック・シーケンス番号を有する、請求項13乃至19のうちの1項に記載のコンピュータ・プログラム。
【請求項２１】
前記プログラム命令を実行すると、前記プリエンプティブな再伝送を可能にするように第１局から第２局へシグナリングすることをさらに含む処理がもたらされる、請求項13乃至20のうちの1項に記載のコンピュータ・プログラム。
【請求項２２】
前記プログラム命令を実行すると、前記データ・ブロックの前記プリエンプティブな再伝送用に少なくとも１つのリソースを割り当てることをさらに含む処理がもたらされる、請求項13乃至21のうちの1項に記載のコンピュータ・プログラム。
【請求項２３】
前記割り当てられる少なくとも１つのリソースが、追加的なタイムスロットおよび追加的なチャネルのうちの少なくとも１つを含む、請求項22に記載のコンピュータ・プログラム。
【請求項２４】
前記受信機が、拡張汎用パケット無線サービス（（E）GPRS）システム内の局のコンポーネントを含む、請求項13乃至23のうちの1項に記載のコンピュータ・プログラム。
【請求項２５】
電子デバイスであって、
少なくとも１つの基準が満たされているか否かを判断するように構成されているデータ・プロセッサと、
前記データ・プロセッサに接続され、別の電子デバイスの受信機へデータ・ブロックを伝送するように構成されている送信機であって、前記送信機は、前記少なくとも１つの基準に合致しているという前記データ・プロセッサの判断に応じて、前記別の電子デバイスの前記受信機へ前記データ・ブロックをプリエンプティブに再伝送するようにさらに構成されている、前記送信機と、
を含む、電子デバイス。
【請求項２６】
前記送信機が、連続再伝送スキームまたは並列再伝送スキームのうちの１つを使用して、前記データ・ブロックをプリエンプティブに再伝送するように構成されている、請求項25に記載の電子デバイス。
【請求項２７】
前記少なくとも１つの基準が、推定されるリンク品質、前記データ・ブロックの内容、および前記データ・ブロックの優先度のうちの少なくとも１つを含む、請求項25または26に記載の電子デバイス。
【請求項２８】
前記データ・プロセッサが、前記データ・ブロックの前記プリエンプティブな再伝送用に、少なくとも１つのリソースを割り当てるようにさらに構成されている、請求項25、26または27に記載の電子デバイス。
【請求項２９】
前記電子デバイスが、拡張汎用パケット無線サービス（（E）GPRS）システム内の局を含む、請求項25、26、27または28に記載の電子デバイス。
【請求項３０】
前記電子デバイスが、移動局を含む、請求項25、26、27、28または29に記載の電子デバイス。
【請求項３１】
前記電子デバイスが、基地局を含む、請求項25、26、27、28または29に記載の電子デバイス。
【請求項３２】
電子デバイスであって、
少なくとも１つの基準が満たされているか否かを判断する処理手段と、
別の電子デバイスの受信機へデータ・ブロックを伝送する第１伝送手段と、
前記少なくとも１つの基準に合致するという前記処理手段の判断に応じて、前記別の電子デバイスの前記受信機へ前記データ・ブロックをプリエンプティブに再伝送する第２伝送手段と、
を含む、電子デバイス。
【請求項３３】
前記処理手段が、データ・プロセッサを含み、前記第１伝送手段が、送信機を含み、前記第１伝送手段は、前記第２伝送手段を含む、請求項32に記載の電子デバイス。
【請求項３４】
前記データ・ブロックをプリエンプティブに再伝送することが、連続再伝送スキームまたは並列再伝送スキームのうちの１つを使用することを含む、請求項32または33に記載の電子デバイス。
【請求項３５】
前記電子デバイスが、移動局または基地局のうちの１つを含む、請求項32、33または34に記載の電子デバイス。
【発明の詳細な説明】
【技術分野】
【０００１】
本発明の例示的な実施形態は、全般的に、ワイヤレス通信システム、方法、デバイス、ならびにコンピュータ・プログラムに関し、特に、GERAN GPRSおよび（E）GPRS対応のシステム、方法、デバイス、ならびにコンピュータ・プログラムに関する。
【背景】
【０００２】
以下の略語は、本明細書では次のように定義される。
【０００３】
3GPP  第三世代パートナーシップ・プロジェクト（third generation partnership project）
【０００４】
ACK  肯定応答（acknowledgement）
【０００５】
AGCH  アクセス許可チャネル（access grant channel）
【０００６】
BCCH  ブロードキャスト制御チャネル（broadcast control channel）
【０００７】
BLER  ブロック誤り率（block error rate）
【０００８】
BSN  ブロック・シーケンス番号（block sequence number）
【０００９】
BSS  基地局システム（base station system）
【００１０】
EDGE  グローバル・エボリューションのための拡張データ・レート（enhanced data rates for global evolution）
【００１１】
（E）GPRS  拡張GPRS（enhanced GPRS）
【００１２】
FACCH  高速付随制御チャネル（fast associated control channel）
【００１３】
GERAN  GSM／EDGE無線アクセス・ネットワーク（GSM／EDGE radio access network）
【００１４】
GMMRR  GMPRS移動性管理無線リソース（GMPRS mobility management radio resource）
【００１５】
GMPRS  衛星移動パケット無線サービス（geo−mobile packet radio service）
【００１６】
GPRS  汎用パケット無線サービス（general packet radio services）
【００１７】
GRR  GPRS無線リソース（GPRS radio resource）
【００１８】
GSM  移動体通信用グローバル・システム（global system for mobile communications）
【００１９】
LLC  リンク層制御（link layer control）
【００２０】
MAC  媒体アクセス制御（medium access control）
【００２１】
MM  移動性管理（mobility management）
【００２２】
MS  移動局（mobile station）
【００２３】
NACK  否定応答（negative acknowledgement）
【００２４】
PACCH  パケット付随制御チャネル（packet associated control channel）
【００２５】
PAGCH  パケット・アクセス許可チャネル（packet access grant channel）
【００２６】
PBCCH  パケット・ブロードキャスト制御チャネル（packet broadcast control channel）
【００２７】
PCCCH  パケット共通制御チャネル（packet common control channel）
【００２８】
PCH  ページング・チャネル（paging channel）
【００２９】
PD  プロトコル識別子（protocol discriminator）
【００３０】
PDCH  パケット・データ・チャネル（packet data channel）
【００３１】
PDTCH  パケット・データ・トラフィック・チャネル（packet data traffic channel）
【００３２】
PDU  プロトコル・データ・ユニット（protocol data unit）
【００３３】
PPCH  パケット・ページング・チャネル（packet paging channel）
【００３４】
PRACH  パケット・ランダム・アクセス・チャネル（packet random access channel）
【００３５】
RACH  ランダム・アクセス・チャネル（random access channel）
【００３６】
RLC  無線リンク制御（radio link control）
【００３７】
RR  無線リソース（radio resource）
【００３８】
SACCH  低速付随制御チャネル（slow associated control channel）
【００３９】
SAP  サービス・アクセス・ポイント（service access point）
【００４０】
SAPI  サービス・アクセス・ポイント識別子（service access point identifier）
【００４１】
SDCCH  スタンドアロン専用制御チャネル（stand−alone dedicated control channel）
【００４２】
TBF  テンポラリ・ブロック・フロー（temporary block flow）
【００４３】
TTI  伝送タイミング間隔（transmission timing interval）
【００４４】
USF  アップリンク・ステージ・フラグ（uplink stage flag）
【００４５】
VoIP  ボイス・オーバー・インターネット・プロトコル（voice over internet protocol）
【００４６】
本明細書にて述べる主題に関連して、概して以下の文書を参照するとよい。
【００４７】
3GPP TS44.060，第7.4.0版，第３世代パートナーシップ・プロジェクト（3rd Generation Partnership Project）；技術仕様化グループ（Technical Specification Group）GSM／EDGE無線アクセス・ネットワーク（GSM/EDGE Radio Access Network）；「汎用パケット無線サービス（General Packet Radio Service)（GPRS）；移動局（MS）−基地局システム（BSS）インターフェース（Mobile Station - Base Station System interface)；無線リンク制御／媒体アクセス制御（RLC／MAC）プロトコル（Radio Link Control/Medium Access Control protocol）（リリース7）（Release 7）」，2006年5月。
【００４８】
3GPP TSG GERAN2＃29bis，Tdoc G2−060184，5.3.3.2，「変動するトラフィック・シナリオでの短いACK／NACKレポートの性能評価（A performance evaluation of short ACK/NACK reports in varying traffic scenarios）」，Ericsson，ソフィア・アンティポリス，フランス，2006年5月22日−24日。
【００４９】
3GPP TSG GERAN2＃29bis，Tdoc G2−060185，5.3.3.2，「待ち時間の向上−システム構想（作業仮説）（latency enhancements-System concept (working assumptions)）」，Ericsson，Siemens，ソフィア・アンティポリス，フランス，2006年5月22日−24日。
【００５０】
3GPP TSG GERAN2＃29bis，Tdoc G2−060186，「GERANエボリューション−RTTIおよび短期RRPBでのアプリケーション利得の概要（GERAN Evolution-Summary of Application Gains with RTTI and Shorter RRBP）」，Ericsson，ソフィア・アンティポリス，フランス，2006年5月22日−26日。
【００５１】
3GPP TSG GERAN2＃29bis，Tdoc G2−060203，「RTTIおよび高速Ack／Nackレポート（RTTI and Fast Ack/Nack reporting）」，Siemens，ソフィア・アンティポリス，フランス，2006年5月22日−24日。
【００５２】
3GPP TSG GERAN2＃29bis，Tdoc G2−060214，議題項目第5.3.7，「GERAN A／GbモードにおけるVoIP支援（Support of VoIP in GERAN A/Gb mode）」，Nokia，Alcatel，ソフィア・アンティポリス，フランス，2006年5月22日−26日。
【００５３】
VoIPなどといったパケット交換方式の通話サービスを（E）GPRSで提供するにあたり、RLC非確認モードを使用しているときの（E）GPRSのリンク・レベル性能が、１つの制約要因として認識されている。RLC非確認モードは、このようなサービスの動作に固有の厳しい遅延要件への合致を可能にするが、一方、RLC非確認モードのBLER性能は低く、そのためセルラ・サービスを良好に受信可能な範囲における使用に制限される傾向がある。
【００５４】
それに対しRLC肯定応答モードは、不正確に受信したRLC／MACブロックの再伝送を可能にしているので、（E）GPRSのリンク・レベル性能を高めることを可能にする。再伝送を用いると、RLC／MACブロックの正確な受信の確率が高まるが、再伝送の使用については、受信機からの応答（ACK／NACK）メッセージの受信に依拠している。ところが、現在規定されているように応答シグナリングに依拠することによって、遅延に敏感なトラフィックでは概して禁物である遅延が発生する。このことは、少なくとも、RLC／MACブロックが受信機から否定的に応答（NACK）されると、受信機から肯定的に応答（ACK）されるまで、そのRLC／MACブロックがRLC送信機によって再伝送されるという点からもわかる。なお、RLC／MACブロック構造は、3GPP TS44.060の第10節に規定されている。
【００５５】
現在のところ、（E）GPRSでは、以下の２つの場合にRLC／MACブロックのプリエンプティブな再伝送が可能である：a）伝送すべき新しいブロックが無い場合に、自体の応答状況が保留中のブロックに関する場合、およびb）一番最後のブロックに関する場合（3GPP TS44.060§§9.1.3.2および9.3.3.5を参照）。
【００５６】
このような状況から、限定しない例としてVoIPなどの遅延に敏感なサービスの実施中に、RLC／MACブロックのプリエンプティブな再伝送の使用が望まれる場合には、問題が生じる。
【非特許文献１】3rd Generation Partnership Project, Technical Specification Group GSM/EDGE Radio Access Network, 3GPP TS 44.060, Version 7.4.0, "General Packet Radio Service(GPRS); Mobile Station(MS)-Base Station System(BSS) interface; Radio Link Control/Medium Access Control(RLC/MAC)protocol(Release 7)," May 2006
【非特許文献２】3rd Generation Partnership Project, Technical Specification Group GSM/EDGE Radio Access Network, 3GPP TSG GERAN2#29bis Tdoc G2-060184, 5.3.3.2, "A performance evaluation of short ACK/NACK reports in varying traffic scenarios," Ericsson, Sophia Antipolis, France, May 22-24, 2006
【非特許文献３】3rd Generation Partnership Project, Technical Specification Group GSM/EDGE Radio Access Network, 3GPP TSG GERAN2#29bis Tdoc G2-060185, 5.3.3.2, "latency enhancements-System concept (working assumptions)," Ericsson, Siemens, Sophia Antipolis, France, May 22-24, 2006
【非特許文献４】3rd Generation Partnership Project, Technical Specification Group GSM/EDGE Radio Access Network, 3GPP TSG GERAN2#29bis Tdoc G2-060186, "GERAN Evolution-Summary of Application Gains with RTTI and Shorter RRBP," Ericsson, Sophia Antipolis, France, May 22-26, 2006
【非特許文献５】3rd Generation Partnership Project, Technical Specification Group GSM/EDGE Radio Access Network, 3GPP TSG GERAN2#29bis Tdoc G2-060203, "RTTI and Fast Ack/Nack reporting," Siemens, Sophia Antipolis, France, May 22-24, 2006
【非特許文献６】3rd Generation Partnership Project, Technical Specification Group GSM/EDGE Radio Access Network, 3GPP TSG GERAN2#29bis Tdoc G2-060214, Agenda Item 5.3.7, "Support of VoIP in GERAN A/Gb mode," Nokia, Alcatel, Sophia Antipolis, France, May 22-26, 2006
【摘要】
【００５７】
本発明の例示的な態様では、方法が、少なくとも１つの基準が満たされている否かを判断することと、受信機へデータ・ブロックを伝送することと、少なくとも１つの基準に合致するという判断に応じて、受信機へデータ・ブロックをプリエンプティブに再伝送することと、を含む。
【００５８】
本発明の別の例示的な態様では、コンピュータ・プログラムが、有形のコンピュータ可読媒体上に具現化されたコンピュータ命令を含む。プログラム命令が実行されると、以下のことを含む処理がもたらされる：少なくとも１つの基準が満たされている否かを判断すること；受信機へデータ・ブロックを伝送すること；少なくとも１つの基準に合致するという判断に応じて、受信機へデータ・ブロックをプリエンプティブに再伝送すること。
【００５９】
本発明のさらなる例示的な実施形態では、電子デバイスが、少なくとも１つの基準が満たされている否かを判断するように構成されているデータ・プロセッサと、データ・プロセッサに接続され、別の電子デバイスの受信機へデータ・ブロックを伝送するように構成されている送信機と、を含み、送信機は、少なくとも１つの基準に合致するというデータ・プロセッサの判断に応じて、別の電子デバイスの受信機へデータ・ブロックをプリエンプティブに再伝送するように、さらに構成されている。
【００６０】
本発明の別の例示的な態様では、電子デバイスが、少なくとも１つの基準が満たされている否かを判断する処理手段と、別の電子デバイスの受信機へデータ・ブロックを伝送する第１伝送手段と、少なくとも１つの基準に合致するという処理手段の判断に応じて、別の電子デバイスの受信機へデータ・ブロックをプリエンプティブに再伝送する第２伝送手段と、を含む。
【図面の簡単な説明】
【００６１】
本発明の実施形態の上述およびその他の態様は、添付の図面と併せて読めば、以下の詳細な説明でさらに明らかになる。
【００６２】
【図１Ａ】本発明の例示的な実施形態の実行に適した様々な電子デバイスの、簡略化したブロック図である。
【００６３】
【図１Ｂ】図1Aのシステムにて用いるとよい、3GPP TS23.060および3GPP TS43.064の各々に従ったプロトコル・スタックを示す図である。
【図１Ｃ】図1Aのシステムにて用いるとよい、3GPP TS23.060および3GPP TS43.064の各々に従ったプロトコル・スタックを示す図である。
【００６４】
【図２】RR副層およびRLC／MAC機能のプロトコル・アーキテクチャを示す、3GPP TS44.060の図4.1を再現した図である。
【００６５】
【図３】本発明の例示的な実施形態に従って、連続再伝送および並列再伝送の手法を示す図である。
【００６６】
【図４】本発明の例示的な実施形態に従って、方法とコンピュータ・プログラムの動作とを図示した論理フロー図である。
【詳細な説明】
【００６７】
下記に説明するように、本発明の例示的な実施形態は、RLC非確認モードの低遅延と、RLC肯定応答モードの高度なリンク・レベル性能とに固有の双方の利点を組み合わせて活用することによって、上述および他の問題を解決するものである。
【００６８】
まず図1Aを参照すると、本発明の例示的な実施形態の実行に適した様々な電子デバイスの簡略化したブロック図が示されている。図1Aでは、ワイヤレス・ネットワーク1が、BSS12を介してMS10と通信するようになっている。ネットワーク1には、少なくとも１つのネットワーク制御機能（NCF：network control function）14が含まれるとよい。MS10は、データ・プロセッサ（DP：data processor）10Aと、プログラム（PROG：program）10Cを保存するメモリ（MEM：memory）10Bと、BSS12との双方向ワイヤレス通信用の適切な無線周波数（RF：radio frequency）トランシーバ10Dとを含み、BSSも同様に、DP12Aと、PROG12Cを保存するMEM12Bと、適切なRFトランシーバ12Dとを含む。BSS12は、データ・パス13を介してNCF14に接続されており、NCFも同様に、DP14Aと、関連するPROG14Cを保存するMEM14Bとを含む。下記にさらに詳細に述べるように、PROG10Cおよび12Cのうちの少なくとも１つが、関連するDPによって実行されると本発明の例示的な実施形態に従って電子デバイスを動作可能にさせるプログラム命令を含むと考えられる。
【００６９】
MS10は、プロトコル・スタック10Eを含んで実現すると考えられ、BSS12は、プロトコル・スタック12Eを含んで実現すると考えられる。図1Bおよび1Cを参照すると、3GPP TS23.060および3GPP TS43.064の各々に従ったプロトコル・スタックの例示的な機能分割が示されており、この機能分割は、図1Aのシステムでプロトコル・スタック10Eおよび12Eを実現するのに用いるとよい。
【００７０】
図2を参照すると、3GPP TS44.060によって現在規定されている、RR副層32およびRLC／MAC機能34のプロトコル・アーキテクチャがさらに詳細に示されている。RR副層32は、MM副層36およびLLC副層38へサービスを提供する。RR副層32は、データ・リンク層（シグナリング層2）40および物理リンク層42のサービスを利用する。パケット論理チャネルPBCCH、PCCCH（PPCH、PAGCHおよびPRACHを含む）、PACCH、およびPDTCH44は、パケット・データ物理チャネル（PDCH52）上に、無線ブロックごとに多重化される。
【００７１】
RR副層32は、RR−SAP46およびGMMRR−SAP48を介して、MM副層36と通信する。RR副層32は、GRR−SAP50を介して、LLC副層38と通信する。RR副層32は、PDCH52を介して、物理リンク層42と通信する。RR副層32は、SAPI−0 54およびSAPI−3 56を介して、データ・リンク層40と通信する。SAPI−0 54には、BCCH、RACH、AGCH、PCH、SDCCH、SACCHおよびFACCHが含まれる。SAPI−3 56には、SDCCHおよびSACCHが含まれる。データ・リンク層40は、データ・パス58を介して、物理リンク層42と通信する。なお、RR副層32は、それ自体が、PD60、RR管理機能62およびRLC／MAC機能34を有する。
【００７２】
一般に、MS10の多様な実施形態には、セルラ式電話、ワイヤレス通信能力を有するパーソナル・デジタル・アシスタント（PDA：personal digital assistant）、ワイヤレス通信能力を有する携帯用コンピュータ、ワイヤレス通信能力を有するデジタル・カメラなどの画像取り込み用デバイス、ワイヤレス通信能力を有するゲーム・デバイス、ワイヤレス通信能力を有する音楽保存および再生用機器、ワイヤレスのインターネット・アクセスおよびブラウジングを可能にするインターネット機器のほか、上述のような機能の組み合わせを内蔵した携帯型ユニットまたは端末を含めることができるが、これらに限定されるものではない。
【００７３】
本発明の例示的な実施形態は、MS10のDP10Aおよびその他のDPによって実行可能なコンピュータ・ソフトウェアによって実現されてもよいし、ハードウェアによって、またはソフトウェアとハードウェアとの組み合わせによって、実現されてもよい。さらに本発明の例示的な実施形態は、１つ以上の集積回路を利用して実現することもできる。
【００７４】
MEM10B、12Bおよび14Bは、ローカルの技術環境に適切ないかなるタイプのものであってもよく、さらに、半導体ベースのメモリ・デバイス、磁気メモリ・デバイスおよびシステム、光メモリ・デバイスおよびシステム、固定式メモリおよび取り外し可能メモリなどを限定されない例とする、あらゆる適切なデータ記憶技術を用いて実現することができる。DP10A、12Aおよび14Aは、ローカルの技術環境に適切ないかなるタイプのものであってもよく、限定されない例として、１つ以上の汎用コンピュータ、専用コンピュータ、マイクロプロセッサ、デジタル信号プロセッサ（DSP：digital signal processor）、およびマルチコア・プロセッサ・アーキテクチャに基づいたプロセッサが挙げられる。
【００７５】
本発明の例示的な実施形態を用いると、送信機が、必ずしも受信機からの何らかの応答情報に依拠することなく、RLC／MACブロックを随時プリエンプティブに再伝送することができるようになり、それによって先に述べた制約を克服する。これにより、RLC非確認モードに比べて正確に受信されるRLC／MACブロックの数が増加し、同時に、RLC肯定応答モードの使用に固有の遅延が大幅に減少する。
【００７６】
本発明の例示的な実施形態により、受信機によるRLC／MACブロックの即時の再伝送が可能になり、図3に示すように（例として、いずれも20msのTTIおよび10msのTTIのオプションに関して）、例えば、そのブロックの初期伝送（またはその再伝送）のすぐ後に（連続して）再伝送すること、あるいは初期伝送と「並列して」再伝送することが可能になる。なお、20msのTTIは、RLC／MACブロックの4つのバースト全てが同じタイムスロットで送信されることを意味し、それに対し10msのTTIは、RLC／MACブロックの２つのバーストが１つのタイムスロットで送信され、残りの２つのバーストは別のタイムスロットで送信されることを意味する。ただし当然のことながら、本発明の例示的な実施形態は、適切な任意の継続時間からなる伝送間隔とともに使用することができる。
【００７７】
本発明の例示的な実施形態によれば、所与のRLC／MACブロックに関して、一度に少なくとも1回のプリエンプティブな再伝送が可能となる。必要に応じて1回より多くの再伝送を行うこともできることに留意されたい。
【００７８】
上述のように、現在のところ、（E）GPRSでRLC／MACブロックのプリエンプティブな再伝送が可能となるのは、伝送すべき新しいブロックが無い場合に、自体の応答状況が保留中のブロックに関する場合、および一番最後のブロックに関する場合のみに限られる。
【００７９】
並列式のプリエンプティブな再伝送
【００８０】
並列再伝送を用いると、RLC／MACブロックの伝送時間を維持することと、本ブロックを１つのTTIでプリエンプティブに再伝送することとが可能になる。TTI内でRLC／MACブロックに使用されている所与の無線リソース・プールを考慮すれば、並列再伝送の手法では、図3に示すように、同じTTI内に第２の無線リソース・プールが必要になる。例えば、１つのタイムスロットがRLC非確認モードの動作に使用されている場合（TTI＝20ms）、そのときプリエンプティブな（随時）並列再伝送を使用するには、送信機および受信機に対するタイムスロット２つの割り当てが必要となり、そのTTI内では、１つのタイムスロットが初期伝送（あるいはその再伝送）に使用され、もう１つのタイムスロットが対応するプリエンプティブな再伝送に使用されると考えられる。
【００８１】
連続式のプリエンプティブな再伝送
【００８２】
連続再伝送とは、TTIごとに１つの無線リソース・プールを使用している状態で、２つのTTIの範囲内で、RLC／MACブロックの伝送、およびその対応するプリエンプティブな再伝送を行うことを意味する。
【００８３】
プリエンプティブな再伝送の基準
【００８４】
随時プリエンプティブな再伝送を行う場合を判断するには、複数の基準を用いるとよい。こうした基準としては、推定されるリンク品質、RLC／MACブロックの内容および／または優先度（既知である場合）を挙げることができるが、これらに限定されない。
【００８５】
随時プリエンプティブな再伝送と既存のRLCモードとの組み合わせ
【００８６】
本発明の例示的な実施形態による随時プリエンプティブな再伝送は、軽微な変更点も含め全ての現行RLCモード：RLC非確認モード、RLC肯定応答モード、およびRLC非持続モード（3GPP TS 44.060を参照）と本質的に組み合わせ可能であり、それにより例えばRLC非確認モードおよびRLC非持続モードのリンク性能を大幅に改善するほか、RLC肯定応答モードの遅延を減少させる。
【００８７】
例示的な実施形態は、MS10がRLC／MACブロックをBSS12へプリエンプティブに再伝送する場合、およびBSS12がRLC／MACブロックをMS10へプリエンプティブに再伝送する場合に使用されるとよいことに留意されたい。なお、元のRLC／MACブロックおよび再伝送されたRLC／MACブロックは、いずれも同一のBSN（3GPP TS44.060§10.4.12に準拠）を搬送している。
【００８８】
なお、何らかのシグナリングを使用して、プリエンプティブな再伝送を可能にすることもできる。このシグナリングは、例えばTBF割り当てにおいて、ネットワークによってMSへもたらされることなどが考えられる。
【００８９】
さらに、追加的なリソースを割り当てるのに既存のシグナリングを用いることができるので、この目的のための新たなシグナリングは必要ない。例えば、ネットワークが並列式のプリエンプティブな再伝送を利用したいと望む場合、ネットワークは、これを可能にするのに十分なリソースが（例えばTBF割り当てにて）確実に割り当てられるようにする。例えば、ネットワークは、或るTBF用に２つのタイムスロットを割り当てるのであるが、この２つのタイムスロットのTBFへの割り振りを動的に行うことができる。すなわち、ネットワークは、所与のブロック期間に関して、２つのタイムスロットを使用するか、あるいはそのうちの１つだけを使用するかを、決めることができる。例えば、ネットワークによって２つのタイムスロット上にダウンリンクTBFが割り当てられたとすると、これは、MS10は、そのTBFに関するRLC／MACブロックを受信するには、割り当てられた２つのタイムスロットをモニタする必要があることを意味する。一方、ネットワークは、割り当てたタイムスロットを常に両方使用しなければならないのではなく、その移動局に向けて、割り当てたタイムスロットのいずれか１つまたは両方の上に、動的にブロック期間を割り振ればよい。アップリンクTBFに関しては、ネットワークが、ダウンリンクにおいてUSFを用いて、そのMSはアップリンクにおける所与の時間にどのタイムスロットを使用すべきであるのかを、動的に示す。
【００９０】
上記に基づいて、本発明の例示的な実施形態は、データ・ブロックを送信機から受信機へ送信する方法、装置、デバイス（集積回路の実施形態も含む）、およびコンピュータ・プログラム（単数または複数）を提供することが明らかとなるはずである。
【００９１】
さらに図4を参照すると、方法の限定されない一例に従って、ステップAにて、少なくとも１つの基準が満たされるという判断が下される。ステップBにて、現在のデータ・ブロックが伝送され、その後、例えば上述の連続再伝送または並列再伝送のスキームのうちの１つを使用して、少なくとも1回、受信機へプリエンプティブに再伝送される。
【００９２】
当然のことながら、図4に示すステップ群の論理フローは単なる例示に過ぎず、限定的なものではない。本発明の例示的な実施形態は、異なる一連のステップを利用してもよい。例えば、別の例示的な実施形態にて、現在のデータ・ブロックを伝送する。次に、少なくとも１つの基準が満たされているか否かを判断する。少なくとも１つの基準が満たされている場合、現在のデータ・ブロックを、例えば上述の連続再伝送または並列再伝送のスキームのうちの１つを使用して、少なくとも1回、受信機へプリエンプティブに再伝送する。このような例示的な実施形態では、当然のことながら、肯定応答のメッセージ（例えば、NACK）の受信は、少なくとも１つの基準に含まれない。
【００９３】
コンピュータ・プログラムの限定されない例によれば、データ・プロセッサが、少なくとも１つの基準が満たされているという判断を下すことと、現在のデータ・ブロックを伝送し、さらにこのデータ・ブロックを、例えば上述の連続した再伝送または並列再伝送のスキームのうちの１つを使用して、少なくとも1回、受信機へプリエンプティブに再伝送することと、を行うように動作する。
【００９４】
装置の限定されない例によれば、デバイスが、少なくとも１つの基準が満たされているという判断を下すユニットと、現在のデータ・ブロックを伝送し、さらにこのデータ・ブロックを、例えば上述の連続再伝送または並列再伝送のスキームのうちの１つを使用して、少なくとも1回、受信機へプリエンプティブに再伝送するユニットと、を含む。
【００９５】
装置の限定されないさらなる例によれば、電子デバイスが以下を含む：少なくとも１つの基準が満たされているか否かを判断する処理手段；別の電子デバイスの受信機へデータ・ブロックを伝送する第１伝送手段；少なくとも１つの基準に合致しているという処理手段の判断に応じて、別の電子デバイスの受信機へデータ・ブロックをプリエンプティブに再伝送する第２伝送手段。別の例示的な実施形態では、処理手段がデータ・プロセッサを含み、第１伝送手段が送信機を含み、さらに第１伝送手段は第２伝送手段を含む。例示的なさらなる実施形態では、データ・ブロックをプリエンプティブに再伝送することが、連続再伝送スキームまたは並列再伝送スキームのうちの１つを使用することを含む。別の例示的な実施形態では、電子デバイスは、移動局または基地局のうちの１つを含む。
【００９６】
本発明の例示的な実施形態は、上記に述べたように、ならびに例示的な諸方法に関して詳細に説明したように、有形のコンピュータ可読媒体上に具現化されたプログラム命令を含むコンピュータ・プログラムとして実現することもできる。プログラム命令を実行すると、例示的な実施形態を利用したステップ群または方法のステップ群を含む処理がもたらされる。
【００９７】
上記では、例示的な実施形態を（E）GPRSシステムに照らして説明してきたが、当然のことながら、本発明の例示的な実施形態は、この１つの特定タイプのワイヤレス通信システムでの使用に限定されるものではなく、他のワイヤレス通信システムにおいても有利に使用することができる。
【００９８】
一般に、多様な例示的な実施形態が、ハードウェア、もしくは専用回路、ソフトウェア、論理またはこれらの任意の組み合わせにおいて実現されるとよい。例えば、一部の態様はハードウェア内で実現されてもよく、一方で別の態様は、コントローラ、マイクロプロセッサまたは他のコンピュータ・デバイスによって実行され得るファームウェアあるいはソフトウェア内に実現されてもよいが、本発明はそれらに限定されるものではない。本発明の例示的な実施形態の多様な態様について、ブロック図、フローチャート、または他の何らかの図形的表現を用いて図示し説明することができるが、一方、当然のことながら、本明細書に記載されたこれらのブロック、装置、システム、技術または方法は、限定されない例として、ハードウェア、ソフトウェア、ファームウェア、専用の回路または論理、汎用ハードウェアもしくはコントローラまたは他のコンピュータ・デバイス、あるいはこれらの何らかの組み合わせにおいて実現されてもよい。
【００９９】
本発明の例示的な実施形態は、集積回路モジュールなど多様なコンポーネントの中で実施することができる。集積回路の設計は、概して高度に自動化されている工程である。論理レベルの設計を、半導体基板上にそのままエッチングおよび形成できるような半導体回路設計へと変換するための、複雑かつ強力なソフトウェア・ツールが利用可能となっている。
【０１００】
カリフォルニア州マウンテン・ビュー（Mountain View）のシノプシス社（Synopsys，Inc.）、およびカリフォルニア州サン・ノゼ（San Jose）のケイデンス・デザイン社（Cadence Design）から提供されているようなプログラムでは、確立した設計ルールのほか、事前に保存した設計モジュールのライブラリを使用して、半導体チップ上の導体ルーティングおよびコンポーネント設置を自動的に行う。半導体回路の設計が完成したら、標準化された電子形式（例えばOpus、GDSIIまたは同様のもの）で得られた設計を、半導体製造施設すなわち「fab」へ、製造のために伝送すればよい。
【０１０１】
当業者には、添付の図面とあわせて読むと、上記の説明に鑑み、本発明の上記の例示的な実施形態に対する多様な変更および調節が明らかとなる。例えば、上述したような連続／並列スキーム以外の再伝送スキームを用いることも可能である。しかし、ありとあらゆる変更も、本発明の限定されない例示的な実施形態の範囲内に含まれる。
【０１０２】
さらに、本発明の多様な限定されない例示的な実施形態の一部の機能を利用し、他の機能を相応に利用しなくても、効果を得ることができる。このように、上記の記述は、本発明の原理、教示事項および例示的な実施形態の単なる説明的なものに過ぎず、これらを限定するものと見なしてはならない。
【図１Ａ】
2009542078.tif 000003
【図１Ｂ】
2009542078.tif 000004
【図１Ｃ】
2009542078.tif 000005
【図２】
2009542078.tif 000006
【図３】
2009542078.tif 000007
【図４】
2009542078.tif 000008
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
少なくとも１つの基準が満たされているか否かを判断することと、
受信機へデータ・ブロックを伝送することと、
前記少なくとも１つの基準に合致するという判断に応じて、前記受信機へ前記データ・ブロックをプリエンプティブに再伝送することと、
を含む、方法。
【請求項２】
前記データ・ブロックをプリエンプティブに再伝送することが、連続再伝送スキームまたは並列再伝送スキームのうちの１つを使用することを含む、請求項1に記載の方法。
【請求項３】
前記データ・ブロックをプリエンプティブに再伝送することが、連続再伝送スキームを使用することを含み、前記データ・ブロックを伝送することは、リソースを使用して第１の伝送タイミング間隔（TTI）で前記データ・ブロックを伝送することを含み、前記データ・ブロックをプリエンプティブに再伝送することは、前記リソースを使用して第２のTTIで前記データ・ブロックを再伝送することを含む、請求項1に記載の方法。
【請求項４】
前記データ・ブロックをプリエンプティブに再伝送することが、並列再伝送スキームを使用することを含み、前記データ・ブロックを伝送することは、第１リソースを使用して伝送タイミング間隔（TTI）で前記データ・ブロックを伝送することを含み、前記データ・ブロックをプリエンプティブに再伝送することは、第２リソースを使用して前記TTIで前記データ・ブロックを再伝送することを含む、請求項1に記載の方法。
【請求項５】
前記少なくとも１つの基準が、推定されるリンク品質、前記データ・ブロックの内容、および前記データ・ブロックの優先度のうちの少なくとも１つを含む、請求項1乃至4のいずれかに記載の方法。
【請求項６】
前記データ・ブロックが、無線リンク制御／媒体アクセス制御（RLC／MAC）ブロックを含む、請求項1乃至5のいずれかに記載の方法。
【請求項７】
前記プリエンプティブな再伝送が、無線リンク制御（RLC）非確認モード、RLC肯定応答モード、およびRLC非持続モードと組み合わせ可能である、請求項1乃至6のいずれかに記載の方法。
【請求項８】
前記再伝送されるデータ・ブロックが、前記伝送されるデータ・ブロックと同じブロック・シーケンス番号を有する、請求項1乃至7のいずれかに記載の方法。
【請求項９】
前記プリエンプティブな再伝送を可能にするように、第１局から第２局へシグナリングすることをさらに含む、請求項1乃至8のいずれかに記載の方法。
【請求項１０】
前記データ・ブロックの前記プリエンプティブな再伝送用に、少なくとも１つのリソースを割り当てることをさらに含む、請求項1乃至9のいずれかに記載の方法。
【請求項１１】
前記割り当てられる少なくとも１つのリソースが、追加的なタイムスロットおよび追加的なチャネルのうちの少なくとも１つを含む、請求項10に記載の方法。
【請求項１２】
前記受信機が、拡張汎用パケット無線サービス（（E）GPRS）システム内の局のコンポーネントを含む、請求項1乃至11のいずれかに記載の方法。
【請求項１３】
有形のコンピュータ可読媒体上に具現化されたプログラム命令を含むコンピュータ・プログラムであって、前記プログラム命令を実行すると、
少なくとも１つの基準が満たされているか否かを判断することと、
受信機へデータ・ブロックを伝送することと、
前記少なくとも１つの基準に合致するという判断に応じて、前記受信機へ前記データ・ブロックをプリエンプティブに再伝送することと、
を含む処理がもたらされる、コンピュータ・プログラム。
【請求項１４】
前記データ・ブロックをプリエンプティブに再伝送することが、連続再伝送スキームまたは並列再伝送スキームのうちの１つを使用することを含む、請求項13に記載のコンピュータ・プログラム。
【請求項１５】
前記データ・ブロックをプリエンプティブに再伝送することが、連続再伝送スキームを使用することを含み、前記データ・ブロックを伝送することは、リソースを使用して第１の伝送タイミング間隔（TTI）で前記データ・ブロックを伝送することを含み、前記データ・ブロックをプリエンプティブに再伝送することは、前記リソースを使用して第２のTTIで前記データ・ブロックを再伝送することを含む、請求項13に記載のコンピュータ・プログラム。
【請求項１６】
前記データ・ブロックをプリエンプティブに再伝送することが、並列再伝送スキームを使用することを含み、前記データ・ブロックを伝送することは、第１リソースを使用して伝送タイミング間隔（TTI）で前記データ・ブロックを伝送することを含み、前記データ・ブロックをプリエンプティブに再伝送することは、第２リソースを使用して前記TTIで前記データ・ブロックを再伝送することを含む、請求項13に記載のコンピュータ・プログラム。
【請求項１７】
前記少なくとも１つの基準が、推定されるリンク品質、前記データ・ブロックの内容、および前記データ・ブロックの優先度のうちの少なくとも１つを含む、請求項13、14、15または16に記載のコンピュータ・プログラム。
【請求項１８】
前記データ・ブロックが、無線リンク制御／媒体アクセス制御（RLC／MAC）ブロックを含む、請求項13乃至17のうちの1項に記載のコンピュータ・プログラム。
【請求項１９】
前記プリエンプティブな再伝送が、無線リンク制御（RLC）非確認モード、RLC肯定応答モード、およびRLC非持続モードと組み合わせ可能である、請求項13乃至18のうちの1項に記載のコンピュータ・プログラム。
【請求項２０】
装置であって、
少なくとも１つの基準が満たされているか否かを判断するように構成されているデータ・プロセッサと、
前記データ・プロセッサに接続され、別の装置の受信機へデータ・ブロックを伝送するように構成されている送信機であって、前記送信機は、前記少なくとも１つの基準に合致しているという前記データ・プロセッサの判断に応じて、前記別の装置の前記受信機へ前記データ・ブロックをプリエンプティブに再伝送するようにさらに構成されている、前記送信機と、
を含む、装置。
【請求項２１】
前記送信機が、連続再伝送スキームまたは並列再伝送スキームのうちの１つを使用して、前記データ・ブロックをプリエンプティブに再伝送するように構成されている、請求項20に記載の装置。
【請求項２２】
前記少なくとも１つの基準が、推定されるリンク品質、前記データ・ブロックの内容、および前記データ・ブロックの優先度のうちの少なくとも１つを含む、請求項20または26に記載の装置。
【請求項２３】
前記データ・プロセッサが、前記データ・ブロックの前記プリエンプティブな再伝送用に、少なくとも１つのリソースを割り当てるようにさらに構成されている、請求項20、21または22に記載の装置。
【請求項２４】
拡張汎用パケット無線サービス（（E）GPRS）システム内の局を含む、請求項20、21、22または23に記載の装置。
【請求項２５】
移動局を含む、請求項20、21、22、23または24に記載の装置。
【請求項２６】
基地局を含む、請求項20、21、22、23または24に記載の装置。
【請求項２７】
装置であって、
少なくとも１つの基準が満たされているか否かを判断する処理手段と、
別の装置の受信機へデータ・ブロックを伝送する第１伝送手段と、
前記少なくとも１つの基準に合致するという前記処理手段の判断に応じて、前記別の装置の前記受信機へ前記データ・ブロックをプリエンプティブに再伝送する第２伝送手段と、
を含む、装置。
【請求項２８】
前記処理手段が、データ・プロセッサを含み、前記第１伝送手段が、送信機を含み、前記第１伝送手段は、前記第２伝送手段を含む、請求項27に記載の装置。
【請求項２９】
前記データ・ブロックをプリエンプティブに再伝送することが、連続再伝送スキームまたは並列再伝送スキームのうちの１つを使用することを含む、請求項27または28に記載の装置。
【請求項３０】
移動局または基地局のうちの１つを含む、請求項27、28または29に記載の装置。
【国際調査報告】
2009542078.tif 000009
2009542078.tif 000010
2009542078.tif 000011
2009542078.tif 000012